(57)【要約】【課題】四人まで同時に挟み駒ゲームを遊ぶことのできるゲーム器具にあって、ゲーム駒の取扱いが容易な器具の提供を目的とする。【解決手段】形状が同じで、色彩又は図柄の異なる４つの表示面６を具備する複数のゲーム駒２と、該ゲーム駒２を保持可能な複数の保持凹部が盤面に形成されたゲーム盤とを備えてなるゲーム器具にあって、各ゲーム駒２を、板状をなし、個々の表示面６を形成する樹脂製の四枚のプレート部材７ａ〜７ｄを中空の四面体状に組み付けてなる構成とし、各プレート部材７ａ〜７ｄは、プレート部材本体８の周縁部に一体的に形成した係合部によって相互連結する。【選択図】図２
2014161482.tif 000002
【特許請求の範囲】
【請求項１】
形状が同じで、色彩又は図柄の異なる４つの表示面を具備する複数のゲーム駒と、
該ゲーム駒をいずれかの表示面を上向きした状態に保持可能な複数の保持凹部が盤面に形成されたゲーム盤と
を備えてなるゲーム器具であって、
各ゲーム駒は、前記４つの表示面を個々に形成する板状の四枚の樹脂製プレート部材を、中空の四面体状に組み付けてなるものであり、
各プレート部材は、プレート部材本体と、該プレート部材本体の周縁部に一体的に形成された係合部とを備えてなり、
隣接するプレート部材の係合部を相互に係合させることによって四枚のプレート部材同士が相互に連結されていることを特徴とするゲーム器具。
【請求項２】
プレート部材本体の周縁部は、他の三枚のプレート部材と当接する３つの当接縁部と、該当接縁部と当接縁部との間で他のプレート部材と非接触となる３つの非当接縁部とからなることを特徴とする請求項１に記載のゲーム器具。
【請求項３】
プレート部材は、円板形状であることを特徴とする請求項１又は請求項２に記載のゲーム器具。
【請求項４】
前記係合部は、雄型係合部と、該雄型係合部と係合可能な雌型係合部の二種類からなり、プレート部材本体の周縁部にあって、他の三枚のプレート部材と当接する３つの当接縁部に１つずつ配設されており、
ゲーム駒を構成する四枚のプレート部材のうち、二枚のプレート部材は２つの雄型係合部と１つの雌型係合部を具備する第一の形状を有し、残り二枚のプレート部材は、１つの雄型係合部と２つの雌型係合部を具備する第二の形状を有することを特徴とする請求項１乃至請求項３のいずれか１項に記載のゲーム器具。
【請求項５】
ゲーム駒を構成する四枚のプレート部材は、相互に異なる色の樹脂材からなり、各プレート部材の表示面には、該プレート部材を構成する樹脂材が露出していることを特徴とする請求項１乃至請求項４のいずれか１項に記載のゲーム器具。
【請求項６】
ゲーム盤の保持凹部の周縁は、平面視にあって、大きさが同じで向きの異なる複数個の三角形を、重心を一致させるようにして重ね合わせた形状を有することを特徴する請求項１乃至請求項５のいずれか１項に記載のゲーム器具。
【発明の詳細な説明】
【技術分野】
【０００１】
本発明は、複数のゲーム駒と、該ゲーム駒を設置するゲーム盤とを備えるゲーム器具に関する。
【背景技術】
【０００２】
オセロ（登録商標）やリバーシなどの挟み駒ゲームは広く知られている。こうした挟み駒ゲームでは、両面が異なる色で配色された円板状のゲーム駒をゲーム盤上に交互に設置する。ここで、自駒で挟んだ敵駒はひっくり返して自駒にすることができ、最終的な自駒の数が多いプレイヤーが勝者となる。また、こうした挟み駒ゲームには、四人で遊べるようにしたものも知られている（例えば、特許文献１）。
【０００３】
図６は、四人で同時に挟み駒ゲームを遊ぶことのできるゲーム器具１ａである。かかるゲーム器具１ａでは、ゲーム駒２ａが、四面が異なる色で配色された正四面体形状をなしており、ゲーム盤３ａには、任意の面を上向きにした姿勢でゲーム駒２ａを保持可能な保持凹部５ａが形成されている。すなわち、かかるゲーム器具１ａは、保持凹部５ａにゲーム駒２ａを保持した状態で、該ゲーム駒２ａの上面に表れる色によって、四人のプレイヤーの自駒を区別し得るよう構成されたものである。
【先行技術文献】
【特許文献】
【０００４】
【特許文献１】特開平１０−４３３５７号公報
【発明の概要】
【発明が解決しようとする課題】
【０００５】
ところで、上記図６に示すゲーム器具１ａでは、正四面体形状のゲーム駒２ａが中実の樹脂成形品であるため、ゲーム中にゲーム駒２ａが重く、取り扱い難いという問題がある。特に、挟み駒ゲームでは、ゲーム駒２ａをゲーム盤３ａの設置していくだけでなく、その都度、自駒で挟んだ敵駒の向きを変えて設置し直す作業が必要であり、ゲーム中にゲーム駒２ａを摘む頻度が高いため、ゲーム駒２ａが取り扱い難いものであると、プレイヤーがゲームに集中し辛くなってしまう。
【０００６】
本発明は、かかる現状に鑑みてなされたものであり、四人まで同時に挟み駒ゲームを遊ぶことのできるゲーム器具にあって、従来に比べてゲーム駒の取扱いが容易な構成の提供を目的とする。
【課題を解決するための手段】
【０００７】
本発明は、形状が同じで、色彩又は図柄の異なる４つの表示面を具備する複数のゲーム駒と、該ゲーム駒をいずれかの表示面を上向きした状態に保持可能な複数の保持凹部が盤面に形成されたゲーム盤とを備えてなるゲーム器具であって、各ゲーム駒は、前記４つの表示面を個々に形成する板状の四枚の樹脂製プレート部材を、中空の四面体状に組み付けてなるものであり、各プレート部材は、プレート部材本体と、該プレート部材本体の周縁部に一体的に形成された係合部とを備えてなり、隣接するプレート部材の係合部を相互に係合させることによって四枚のプレート部材同士が相互に連結されていることを特徴とするゲーム器具である。
【０００８】
本発明に係るゲーム駒は、樹脂製のプレート部材を中空の四面体状に組み付けてなるものであるから、中実の樹脂成形品である従来のゲーム駒に比べて軽量なものとなり、取扱いが容易となる。また、従来のゲーム駒に比べて、ゲーム駒に用いる樹脂材を低減できるから、材料コストを大幅に削減できるという利点もある。また、本発明に係るゲーム駒は、各プレート部材を、係合部を介して相互連結することで組立可能であるから、プレート部材同士を接着することなく、四面体状のゲーム駒を簡単に組み立てできるという利点もある。
【０００９】
本発明にあって、プレート部材本体の周縁部は、他の三枚のプレート部材と当接する３つの当接縁部と、該当接縁部と当接縁部との間で他のプレート部材と非接触となる３つの非当接縁部とからなることが提案される。
【００１０】
かかる構成にあっては、プレート部材本体の非当接縁部に指を当ててゲーム駒を摘むことが可能となる。非当接縁部は、プレート部材本体が、他のプレート部材と接触せずに周縁部を露出させた部分であり、指掛かりがよく滑り難いため、かかる構成では、従来構成に比べて、保持凹部へのゲーム駒の嵌め込みや、保持凹部からのゲーム駒の取外しを容易に行うことができる。
【００１１】
また、本発明にあって、プレート部材は、円板形状であることが提案される。
【００１２】
上述した従来のゲーム器具（図６参照）では、矩形状のゲーム盤に対して正四面体形状のゲーム駒を採用しているため、四人のプレイヤーがゲーム盤を四方から見た時に、ゲーム駒上面の三角形の向きがプレイヤーごとに異なることとなり、プレイヤーが不平等感を感じやすいものとなっている。これに対して、本発明では、ゲーム盤のどの方向から見た場合でも表示面は円形状に見えるから、プレイヤーが不平等感を感じ難いものとなる。
【００１３】
また、本発明にあっては、前記係合部は、雄型係合部と、該雄型係合部と係合可能な雌型係合部の二種類からなり、プレート部材本体の周縁部にあって、他の三枚のプレート部材と当接する３つの当接縁部に１つずつ配設されており、ゲーム駒を構成する四枚のプレート部材のうち、二枚のプレート部材は２つの雄型係合部と１つの雌型係合部を具備する第一の形状を有し、残り二枚のプレート部材は、１つの雄型係合部と２つの雌型係合部を具備する第二の形状を有することが提案される。
【００１４】
かかる構成にあっては、同形状のプレート部材について共通の成形型を用いることで、四枚のプレート部材を二種類の成形型で製造可能となるため、プレート部材を低廉に製造可能となる。
【００１５】
また、本発明にあっては、ゲーム駒を構成する四枚のプレート部材は、相互に異なる色の樹脂材からなり、各プレート部材の表示面には、該プレート部材を構成する樹脂材が露出していることが提案される。
【００１６】
かかる構成にあっては、プレート部材を構成する樹脂材の色によって４つの表示面を色分けできるから、樹脂材の表面にシールを貼付したり、塗装や刻印を施したりする工程を経ることなく、ゲーム駒を簡単に製造できるという利点がある。
【００１７】
また、本発明にあっては、ゲーム盤の保持凹部の周縁は、平面視にあって、大きさが同じで向きの異なる複数個の三角形を、重心を一致させるようにして重ね合わせた形状を有することが提案される。
【００１８】
上記従来のゲーム器具（図６参照）では、ゲーム駒の横断面の三角形状に合わせて、保持凹部の周縁が平面視三角形状に形成されており、保持凹部の周縁にゲーム駒の表面を当接させることによって、ゲーム駒を適切な姿勢で保持し得るよう構成されている。ここで、かかる従来形状の保持凹部では、ゲーム駒の横断面の三角形状を、周縁の三角形状と一致させるように回転させなくてはゲーム駒を内嵌保持できないため、ゲーム駒を嵌め込むのに手間取ることがある。これに対して、かかる構成にあっては、保持凹部の周縁部が、平面視で、向きの異なる複数の三角形を重ね合わせた形状となっているから、ゲーム駒は、その横断面の三角形状を、保持凹部の周縁を形成する複数の三角形状のいずれかと一致させるだけで、ゲーム駒を内嵌保持することができるから、ゲーム駒を保持凹部に内嵌させる際に、手間取ることが少なくなる。
【発明の効果】
【００１９】
以上に述べたように、本発明のゲーム器具は、従来構成に比べてゲーム駒が軽量となるため、ゲーム盤に設置したり、ゲーム盤に設置したゲーム駒の向きを変更するといった作業を行い易いという利点がある。また、ゲーム駒を形成する樹脂材も少なくて済むため、材料コストの削減も可能となる。また、ゲーム駒は、プレート部材を相互に接着することなく組立可能であるから、製造の手間が大きくなることもない。
【図面の簡単な説明】
【００２０】
【図１】実施例のゲーム器具１の斜視図である。
【図２】（ａ）はゲーム駒２の斜視図であり、（ｂ）は別の角度から見たゲーム駒２の斜視図である。
【図３】ゲーム駒２の分解斜視図である。
【図４】（ａ）は第一の形状のプレート部材７ｂ（７ｃ）の斜視図であり、（ｂ）は第二の形状のプレート部材７ａ（７ｄ）の斜視図である。
【図５】ゲーム駒２の保持凹部５への設置態様を示す説明図である。
【図６】従来のゲーム器具１ａの斜視図である。
【発明を実施するための形態】
【００２１】
本発明の実施形態を、以下の実施例に従って説明する。
【００２２】
図１は、本実施例のゲーム器具１の斜視図である。ゲーム器具１は、複数のゲーム駒２と、該ゲーム駒２を設置する矩形のゲーム盤３とを備えてなる。ゲーム盤３の盤面は縦８マス、横８マスの計６４のマス目４に仕切られており、各マス目４には、ゲーム駒２を内嵌保持する保持凹部５が形成される。
【００２３】
ゲーム器具１には、同一構成のゲーム駒２が、ゲーム盤３のマス目４の数に合わせて６４個用意される。ゲーム駒２は、図２に示すように、４つの表示面６を備える四面体状をなしている。各表示面６は同じ大きさの円形をなし、夫々別の色（例えば、黒色、白色、赤色、青色）で配色されている。
【００２４】
ゲーム駒２は、図３に示すように、四枚の円板形状のプレート部材７ａ〜７ｄを中空の四面体状に組み付けて、ゲーム駒２の４つの表示面６を各プレート部材７ａ〜７ｄによって構成したものである。四枚のプレート部材７ａ〜７ｄは、夫々異なる色の樹脂材からなる射出成形品であり、各表示面６に露出する樹脂材の色によってゲーム駒２の表示面６が四色に色分けされている。
【００２５】
各プレート部材７ａ〜７ｄは、図４に示すように、円板形状のプレート部材本体８と、該プレート部材７ａ〜７ｄの裏面側周縁部に一体的に形成された係合部９ａ，９ｂとで構成される。プレート部材本体８は、平坦な円板形状をなし、その表面を表示面６とするものである。ここで、図２に示すように、ゲーム駒２を構成するプレート部材７ａ〜７ｄは、中空の四面体状に組み付けられた状態で、他の三枚のプレート部材７ａ〜７ｄと隣接することとなるが、プレート部材本体８は円板形状であるから、プレート部材本体８の周縁部は、他のプレート部材７ａ〜７ｄと全周に亘って当接するわけでなく、他のプレート部材７ａ〜７ｄと当接する部分と当接しない部分とで構成される。具体的には、図２に示すように、プレート部材本体８の周縁部は、他の三枚のプレート部材７ａ〜７ｄと当接する３つの当接縁部１０ａと、該当接縁部１０ａの間で他のプレート部材７ａ〜７ｄと非接触となる３つの非当接縁部１０ｂとによって構成される。また、プレート部材本体８の表面には、成形時のアンダーカットを回避するための逃げ穴１１が三箇所に形成される。
【００２６】
各プレート部材７ａ〜７ｄの係合部９ａ，９ｂは、図４に示すように、プレート部材本体８の各当接縁部１０ａに１つずつ形成される。この係合部は、雄型係合部９ａと、該雄型係合部９ａと係合可能な雌型係合部９ｂとの二種類からなる。雄型係合部９ａは、プレート部材本体８の裏面側に立設され、先端に鈎状部１２が形成されたものである。一方、雌型係合部９ｂは、プレート部材本体８の裏面側に間隔をおいて平行に立設された一対の壁部１３，１３からなるものである。雌型係合部９ｂの両壁部１３，１３の間の間隙１４は、雄型係合部９ａを挿入し得るように、雄型係合部９ａの幅より若干幅広に設計されており、また、間隙１４の一部には幅狭部１５が形成されて、該幅狭部１５に雄型係合部９ａの鈎状部１２を係止し得るよう構成されている。すなわち、かかる構成にあっては、雄型係合部９ａを雌型係合部９ｂの間隙に挿入し、鈎状部１２を間隙１４の内部の幅狭部１５に引っ掛けて両係合部９ａ，９ｂを係合させることによって、プレート部材７ａ〜７ｄ同士が相互に連結される。
【００２７】
ここで、ゲーム駒２を構成する四枚のプレート部材７ａ〜７ｄは、プレート部材本体８の形状、大きさは共通しているが、プレート部材本体８に形成される係合部９ａ，９ｂの種類によって二種類の形状に分けられる。具体的には、四枚のうち二枚のプレート部材７ｂ，７ｃは、図４（ａ）に示すように、雄型係合部９ａが２つと雌型係合部９ｂが１つ形成された第一の形状をなしている。一方、残り二枚のプレート部材７ａ，７ｄは、図４（ｂ）に示すように、雄型係合部９ａが１つと雌型係合部９ｂが２つ形成された第二の形状をなしている。雌雄の係合部９ａ，９ｂをこのような配分で配設すれば、図３に示すように、四枚のプレート部材７ａ〜７ｄを四面体状に組み付けることが可能となる。また、かかる構成にあっては、四枚のプレート部材は異なる色の樹脂材で成形されるものの、その形状は二種類であるため、同形状のプレート部材について共通の成形型を使用すれば、四枚のプレート部材を二種類の成形型で成形できるという利点がある。
【００２８】
ゲーム盤３の各マス目４に形成される保持凹部５は、ゲーム駒２を、いずれかの表示面６を上向きにした姿勢で内嵌保持するものである。具体的には、図５に示すように、保持凹部５は、その周縁が、平面視において、大きさが同じで、逆向きの正三角形を２つ重ねた六芒星形状をなしており、底部に向かって凹部の大きさがテーパー状に小さくなるよう形成されたものである。この保持凹部５の六芒星形状は、ゲーム駒２の横断面形状に合わせて形成されており、ゲーム駒２は、その横断面形状を、保持凹部５の六芒星形状を構成する正三角形のいずれかと一致させるように内嵌し、ゲーム駒２の表面を保持凹部５の周縁に表面を当接させることによって、表示面６を上向きにした姿勢で保持される。このように、本実施例では、保持凹部５が、ゲーム駒２と当接可能な正三角形状を２つ重ね合わせた周縁形状となっているため、図５の左側のマス目４ａ，４ｂに保持されたゲーム駒２のように、ゲーム駒２を保持凹部５に２種類の角度で保持可能となっている。また、このように保持凹部５に保持された状態にあって、ゲーム駒２は、上部のプレート部材本体８を保持凹部５の上方に位置させるよう構成されており、プレート部材本体８の非当接縁部１０ｂに指を当ててゲーム駒２を摘み上げることで、ゲーム駒２を保持凹部５から簡単に取り外せるようになっている。
【００２９】
本実施例のゲーム器具１は、４人同時にゲーム可能な挟み駒ゲームに用いることができる。具体的なルールとしては、まず、初期配置として、中央の４つのマス目４に各プレイヤーのゲーム駒（自駒）２を１つずつ配置する。なお、どのプレイヤーの自駒であるかは、ゲーム駒２の上部の表示面６の色によって区別される。そして、ゲームが開始すると、４人が順番に空いたマス目４に１つずつ自駒を置いていく。この時、自駒の間に挟んだ敵駒は保持凹部５から取り出して、向きを変えて嵌め直すことにより自駒にすることができる。そして、全てのマス目４にゲーム駒２を置き終えた時に、自駒の数が最も多かったプレイヤーが勝者となる。なお、かかる挟み駒ゲームは、本実施例のゲーム器具１で行い得るゲームの一例であり、ゲームのルールや同時に遊ぶ人数はこれに限定されるものではない。
【００３０】
以上のように、本実施例のゲーム器具１にあっては、ゲーム駒２が、プレート部材７ａ〜７ｄを四面体状に組み付けてなる中空構造となっているため、従来構成の中実のゲーム駒に比べて軽量で取り扱い易く、保持凹部５へ嵌め込んだり、保持凹部５から取り外して嵌め直したりする作業を行い易いという利点がある。また、ゲーム駒２に使用する樹脂材も大幅に低減できるから、製造コストの削減も可能となる。また、各プレート部材７ａ〜７ｄには、プレート部材７ａ〜７ｄを相互に連結するための係合部９ａ，９ｂが一体的に設けられているから、プレート部材７ａ〜７ｄを相互に接着したりすることなく、四面体状のゲーム駒２を容易に組み立てできるという利点がある。
【００３１】
また、ゲーム駒２を構成するプレート部材本体８の周縁部には、他のプレート部材７ａ〜７ｄと非接触となる非当接縁部１０ｂが形成されているから、該非当接縁部１０ｂに指を当てることで、従来構成の正四面体形状のゲーム駒に比べてゲーム駒２をしっかりと摘むことできるという利点がある。
【００３２】
また、ゲーム駒２の表示面６を形成するプレート部材７ａ〜７ｄは円板形状をなしており、図５に示すように、ゲーム駒２を保持凹部５に保持した状態で、ゲーム駒２の上部の表示面６の形状が、ゲーム盤３のどの方向から見ても一定となるよう構成されているため、ゲーム盤３を四方から囲んでゲームをする際に、全てのプレイヤーに平等感を感じさせることができるという利点がある。
【００３３】
また、ゲーム駒２を構成する四枚のプレート部材７ａ〜７ｄの形状は、２つの雄型係合部９ａと１つの雌型係合部９ｂとを具備する第一の形状と、１つの雄型係合部９ａと２つの雌型係合部９ｂを具備する第二の形状の二種類であるため、同形状のプレート部材７ａ〜７ｄを共通の成形型を用いて成形することで製造コストを低減できるという利点がある。
【００３４】
また、ゲーム駒２を構成する四枚のプレート部材７ａ〜７ｄは、色の異なる樹脂材で構成され、各表示面６に各プレート部材７ａ〜７ｄの樹脂材を露出させることで４つの表示面６を色分けしているから、ゲーム駒の表面にシールを貼付したり、塗装や印刷を施したりすることなく、表示面６を低コストで色分けできるという利点がある。
【００３５】
また、ゲーム盤３の保持凹部５の周縁は、大きさが同じで逆向きの正三角形を、重心を揃えて重ね合わせた形状となっているから、従来構成の保持凹部５ａ（図６参照）に比べて、多様な角度でゲーム駒２を保持凹部５に保持することができ、ゲーム駒２を保持凹部５に嵌め込む際に手間取ることが少ないという利点がある。
【００３６】
なお、本発明のゲーム器具は、上記実施例の形態に限らず本発明の要旨を逸脱しない範囲内において種々変更を加えることができる。例えば、プレート部材本体の形状は、円板状に限らず、六角形状等の多角形状にすることができる。また、ゲーム盤の形状やマス目の数、保持凹部の形状も、実施例の形態を適宜変更することができる。また、プレート部材を相互連結する係合部の構造も上記実施例の形態に限らず適宜変更することができる。
【符号の説明】
【００３７】
１，１ａ  ゲーム器具
２，２ａ  ゲーム駒
３，３ａ  ゲーム盤
４  マス目
５，５ａ  保持凹部
６  表示面
７ａ〜７ｄ  プレート部材
８  プレート部材本体
９ａ  雄型係合部
９ｂ  雌型係合部
１０ａ  当接縁部
１０ｂ  非当接縁部
１１  逃げ穴
１２  鈎状部
１３  壁部
１４  間隙
１５  幅狭部
【図１】
2014161482.tif 000003
【図５】
2014161482.tif 000004
【図６】
2014161482.tif 000005
【図２】
2014161482.tif 000006
【図３】
2014161482.tif 000007
【図４】
2014161482.tif 000008